(57)【要約】本発明は住宅のための自動化制御システム（１）に関し、個々の住宅のためのサーバ（２）を含み、該サーバ（２）は、第１のＰＬＣ（６）により、自動化される住宅の個々の部屋内に配置される少なくとも一つのクライアントデバイス（３）を制御し該クライアントデバイス（３）と通信し、前記少なくとも一つのクライアントデバイス（３）は、住宅の電気設備の配電盤の配線へ接続し、前記クライアントデバイス（３）は、複数のセンサ（１１、１２、１３、１４、１６）と、複数のアクチュエータ（１５、１８、１９）と、及び第２のＰＬＣ（２０）を含み、前記少なくとも一つのクライアントデバイス（３）と前記サーバ（２）は、住宅の電気設備の配線を介して相互に入力して互いに通信し合い、前記サーバ（２）は、前記クライアントデバイス（３）に命令を送信し、住宅の電気及び電子デバイスを制御する。
2018506921.tif 000002
【特許請求の範囲】
【請求項１】
住宅に設置される電気及び電子デバイスを制御することを可能にする、住宅のための自動化制御システム（１）であって、
前記住宅のための自動化制御システムは、個々の住宅のためのサーバ（２）を含み、
前記サーバ（２）は、
複数のクライアントデバイス（３）を制御してそれらと通信し、前記クライアントデバイス（３）から受信する情報を格納する、コントロールユニット（５）と、
配電網を介して情報を、前記クライアントデバイスへ送信する、及び前記クライアントデバイスから受信する、第１のＰＬＣ（６）と、及び、
サーバ（２）に電力供給するためのトランスフォーマ（７）と
を含み、
前記住宅のための自動化制御システムは更に、自動化される住宅の個々の部屋内に配置される、少なくとも一つのクライアントデバイス（３）であって、住宅の電気設備の配電盤の配線へ接続する、少なくとも一つのクライアントデバイス（３）を含み、
前記少なくとも一つのクライアントデバイス（３）は、
前記配電盤の外部に配置されるヘッドピース（８）であって、複数のセンサ（１１、１２、１３、１４、１６）と、複数のアクチュエータ（１５、１８、１９）と、第２のＰＬＣ（２０）と、トランスフォーマ（１７）と、及び、マイクロコントローラとを含む、ヘッドピース（８）と、並びに、
配電盤の配線へ接続するコネクタストリップ（１０）であって、前記ヘッドピース（８）が接続する、コネクタストリップ（１０）と
を含み、
前記少なくとも一つのクライアントデバイス（３）及び前記サーバ（３）は、住宅の電気設備の配線を介して、相互に入力して互いに通信し合い、
前記クライアントデバイス（３）は、前記センサ（１１、１２、１３、１４、１６）が配置される部屋内で発生する変化について、前記センサ（１１、１２、１３、１４、１６）により前記サーバ（２）に通知し、
前記サーバ（２）は、受信する情報に基づいて、前記クライアントデバイス（３）に命令を送信し、前記コネクタストリップ（１０）へ接続する住宅の電気及び電子デバイスを制御する、
住宅のための自動化制御システム（１）。
【請求項２】
同じ部屋に複数の配電盤があるとき、前記住宅のための自動化制御システム（１）は、前記配電盤の一つへ接続する単独のクライアントデバイス（３）を含み、前記住宅のための自動化制御システム（１）は、個々の更なる配電盤のための補助クライアントデバイス（４）も含むことを特徴とする、請求項１に記載の住宅ための自動化制御システム（１）。
【請求項３】
前記補助クライアントデバイス（４）は、
前記配電盤の外部に配置されるヘッドピース（３０）であって、前記サーバ（２）により命令されて電流を制御する複数の電子コミュータ（２４）と、トランスフォーマ（２５）と、前記補助クライアントデバイス（４）及び前記サーバ（２）の間の通信を維持する第３のＰＬＣ（２６）と、及び、マイクロコントローラとを含む、ヘッドピース（３０）と、並びに、
配電盤の配線へ接続するコネクタストリップ（３１）であって、前記ヘッドピース（３０）が接続する、コネクタストリップ（３１）と
を含むことを特徴とする、請求項２に記載の住宅のための自動化制御システム（１）。
【請求項４】
前記クライアントデバイス（３）の、若しくは、前記補助クライアントデバイス（４）の、前記コネクタストリップ（１０、３１）は、前記コネクタストリップ（１０、３１）内に含まれるコネクタ（３７）により前記配電盤の配線に接続することを特徴とする、請求項１又は３に記載の住宅のための自動化制御システム。
【請求項５】
前記クライアントデバイス（３）及び前記補助クライアントデバイス（４）の、前記コネクタストリップ（１０、３１）及び前記ヘッドピース（８、３０）の間の接続は、前記コネクタストリップ（１０、３１）の複数のピン（３５）により実施され、該複数のピン（３５）は、前記クライアントデバイス（３）及び前記補助クライアントデバイス（４）のヘッドピース（８、３０）の複数のホール（３６）内に挿入されることを特徴とする、請求項４に記載の住宅のための自動化制御システム。
【請求項６】
前記クライアントデバイス（３）及び前記補助クライアントデバイス（４）の、前記コネクタストリップ（１０、３１）は、電源インレット（２１、２７）、スイッチ入力（２２、２８）、及び電源アウトレット（２３、２９）も含むことを特徴とする、請求項５に記載の住宅のための自動化制御システム。
【請求項７】
前記コントロールユニット（５）は、基板を含み、前記配電網から直接に電力を引く、請求項１に記載の住宅のための自動化制御システム。
【請求項８】
前記クライアントデバイス（３）の前記ヘッドピース（８）内に含まれる前記複数のセンサは、
・部屋内の煙の存在を検知する煙検知器（１３）と、
・部屋に誰かがいるかを検知する動作センサ（１１）と、
・ノイズを検知するマイクロホン（３３）と、
・部屋の空気調節を制御する温度センサ（１６）と、
・電子及び電気デバイスのリモートコントロールの信号を記録する赤外線センサ（１４）と、
・部屋に存在する光の量をチェックする光センサ（１２）と、及び、
・それらの組み合わせと
のうちから選択されることを特徴とする、請求項１に記載の住宅のための自動化制御システム。
【請求項９】
前記クライアントデバイス（３）の前記ヘッドピース（８）内に含まれる前記複数のアクチュエータは、
・前記赤外線センサ（１４）により記録される赤外線信号を再生する赤外線ＬＥＤと、
・前記サーバ（２）により命令されて、前記配電網から前記電源アウトレット（２３）へ送信される電気を制御する複数の電子コミュータ（１８）と、
・前記クライアントデバイス（３）の各々にて音楽及び音声の記録をプレイする、ラウドスピーカ（１９）と、並びに、
・それらの組み合わせと
のうちから選択されることを特徴とする、請求項１に記載の住宅のための自動化制御システム。
【請求項１０】
前記サーバ（２）は、前記サーバ（１）をリモートで制御するための、インターネット接続を伴う少なくとも一つのデバイスからのオーダを受信するように構成されていることを特徴とする、請求項１に記載の住宅のための自動化制御システム。
【発明の詳細な説明】
【技術分野】
【０００１】
本発明は、住宅のための自動化制御システムに関する。それは、ホームオートメーション産業の分野で特に用いられる。
【背景技術】
【０００２】
ホームオートメーションのためには、事前のプロジェクト若しくはある種の建設作業を予め実施することが必要であり、これらのタスクが必要で無い無線デバイスの場合には、無線波の維持及び届く範囲に関する問題が生じる、という事実によって、今日、ホームオートメーションは予想通りには発展していない。更に、ホームオートメーションのためには、様々な場所に様々な機能の、多数の様々なデバイスをインストールすることが必要であるが、このことは導入プロセスを複雑にしてしまう。
【０００３】
しかしながら、現下、ホームオートメーションでよくあるような、システムに住宅を適用することではなく、住宅にシステムを適用することができることにより、本発明に係るシステムは、あらゆる住宅にホームオートメーションを持ち込むことを可能にするものである。
【０００４】
このシステムは主として二つのデバイスを含む。個々の住宅に一つのみ必要とされる、サーバと、自動化される個々の部屋のための少なくとも一つのクライアントデバイスとである。クライアントデバイスは、それが配置される部屋で生じる変化に関してサーバを更新し続け、これらの変化によって、ユーザにより与えられる命令を介してサーバは、クライアントデバイスが実施しなければならないアクションをクライアントデバイスに命じる。
【０００５】
このシステムをインストールするためには、住宅の電気設備のうち、クライアントデバイスのための配電盤の共通ストリップを置き換えることが、必要であるに過ぎない。この共通ストリップは、上記配電盤の配線に接続するものである。即ち、配電盤は、それらが作成された目的とは異なる目的を与えられるわけではなく、それらのサイズ及び位置の両方が、電気設備をできるだけ最も簡素に且つ最も快適にするように、建築家によりこれまで研究されてきたこともあり、上述のことはタスクを促進するものである。
【０００６】
クライアントデバイスを住宅の配電盤内に配置することにより、クライアントデバイスは電気配線のケーブルの各々及びあらゆるものにアクセスする。住宅の電気設備内の全ての配線の接続は、これらの配電盤内で実施されるからである。クライアントデバイスは配電網（照明、プラグ、自動インターホン、ブラインドなど）に接続するどのデバイスもコントロールできる。
【０００７】
このシステムにより、クライアントデバイスなどの単独のシステムがアクチュエータとセンサの両方を含むことが可能であり、よってそれらは、部屋と環境に対して全体的に制御を行う。対照的に、市場で入手可能な製品の残りは、アクチュエータとセンサを別々に用いるのであり、それらは、自動化を要求するものによって、様々なデバイス、無線センサ、及び様々なアクチュエータで、部屋を溢れ返らせる。
【０００８】
配電盤は、電力ケーブルも含み得るので、システムは該ケーブルから直接に電力を引き、バッテリに対する必要を回避し、メンテナンスの要求を省く。対照的に、市場のデバイスは、バッテリ、若しくは、電力出力の一つへのケーブル敷設を必要とする。バッテリはユーザにかなりの不快感を生じさせるものであるが、ホームオートメーションは正反対を目的とするものであり、消費者にできるだけ最大限の快感を提供する。
【発明の概要】
【発明が解決しようとする課題】
【０００９】
従って、本発明は、従来技術に関する前述の問題を解決し、以下の利点を有するシステムを提供する。
・簡素：システムは、二つの主たるタイプのデバイス「サーバ」及び「クライアントデバイス」、並びに、更に「補助クライアントデバイス」から、形成される。
・普遍的：既に建築済みの、若しくは、建築されつつある、全ての住宅、ホテル、ストア、バー・・・に、システムはインストールされ得る。
・迅速な設置：殆ど時間が掛からず（個別のデバイスをインストールするのに数分）、ユーザ自身により行える。
・建設作業が無い：建設作業が不要であり、先行のプロジェクトやケーブル敷設が必要とされず、何も要らない。
・メンテナンスが不要：システムがインストールされると、ユーザは、管理をする必要は無い。
・低消費：このシステムは、消費するよりも多くの電気をセーブする。
・使い易い：サーバにより、手動により、若しくは、世界中のあらゆるところからのインターネット接続を伴うデバイスにより、制御可能である。
・インテリジェント：デバイスは、インターネットを介して自動的に更新可能であり、このように問題を解決したり、アプリケーションを改善したりすることが可能である。
・膨大な機能：システムは、以下の機能のうち少なくとも一つを実施するように構成されている。照明を制御して調節すること。住宅の全ての電気及び電子デバイスのプラグを制御すること。部屋の温度を制御すること。火災報知器を制御すること。警報器を制御すること。音の発生及び検知を制御すること。ブラインドを制御すること。赤外無線デバイスを制御すること。自動ドアを制御すること。省エネルギを制御すること。ドアベルを制御すること。停電を警告すること。そして、ガレージドアを制御すること。更に、更新する能力により、システムは際限ないものとなり、将来、それに対して潜在的な新しい機能が絶えず形成され得る。
・廉価。
【課題を解決するための手段】
【００１０】
本発明は、住宅に設置される電気及び電子デバイスを制御することを可能にする、前記住宅にインストールされる自動化制御システムに関し、該自動化制御システムは、個々の住宅のためのサーバを含み、前記サーバは、複数のクライアントデバイスを制御してそれら複数のクライアントデバイスと通信し、前記クライアントデバイスから受信する情報を格納する（タッチパネルを伴う、若しくは伴わない）コントロールユニットと、情報を前記クライアントデバイスへ送信する、及び前記クライアントデバイスから受信する、第１のＰＬＣと、前記サーバに電力供給するためのトランスフォーマと、及び、ハウジングとを含み、前記自動化制御システムは、自動化される住宅の個々の部屋内に配置された少なくとも一つのクライアントデバイスも含み、前記クライアントデバイスは、前記住宅の電気設備の配電盤の配線へ接続し、ヘッドピースを含み、該ヘッドピースは、前記配電盤の外部上に配置され、該ヘッドピースは、複数のセンサと、複数のアクチュエータと、第２のＰＬＣと、トランスフォーマと、及び、マイクロコントローラとを含み、前記ヘッドピースは、コネクタストリップへ接続し、前記配電盤の内部に若しくは外部に配置され、前記コネクタストリップは、前記配電盤の配線へ接続する。
【００１１】
前記少なくとも一つのクライアントデバイスと前記サーバは、住宅の電気設備の配線を介して、相互に入力して互いに通信し合い、前記クライアントデバイスは、前記センサが配置される部屋内で発生する変化について、前記センサにより前記サーバに通知し、前記サーバは、受信する情報に基づいて、前記クライアントデバイスに命令を送信し、前記コネクタストリップへ接続する住宅の電気及び電子デバイスを制御する。
【００１２】
前記コントロールユニットは、基板を含み、前記配電網から直接に電力を引く。
【００１３】
同じ部屋に複数の配電盤があるとき、前記住宅のための自動化制御システムは、前記配電盤の一つへ接続する単独のクライアントデバイスを含み、前記住宅のための自動化制御システムは、個々の更なる配電盤のための補助クライアントデバイスも含む。
【００１４】
前記補助クライアントデバイスは、前記配電盤の外部上に配置されるヘッドピースを含み、該ヘッドピースは、前記サーバにより命令されて交流電流を制御する複数の電子コミュータ（交流電流を切り替えることができるスイッチ）と、トランスフォーマと、マイクロコントローラと、及び、前記補助クライアントデバイス及び前記サーバの間の通信を維持する第３のＰＬＣとを含み、前記ヘッドピースは、コネクタストリップへ接続し、前記配電盤の内部若しくは外部に配置され、前記コネクタストリップは、前記配電盤の配線へ接続する。
【００１５】
クライアントデバイス（クライアントデバイス及び補助クライアントデバイス）の前記コネクタストリップは、前記コネクタストリップに含まれるコネクタにより前記配電盤の配線に接続し、前記コネクタストリップは、電源インレット、スイッチ入力、及び電源アウトレットも含む。クライアントデバイス（クライアントデバイス及び補助クライアントデバイス）の、前記コネクタストリップ及び前記ヘッドピースの間の接続は、前記コネクタストリップ内の複数のピンにより実施され、該複数のピンは、クライアントデバイスのヘッドピースの複数のオリフィス内に挿入される。
【００１６】
前記クライアントデバイスの前記ヘッドピース内に含まれる前記複数のセンサは、部屋内の煙の存在を検知する煙検知器と、部屋に誰かがいるかを検知する動作センサと、ノイズを検知するマイクロホンと、部屋の空気調節を制御する温度センサと、電子及び電気デバイスのリモートコントロールの信号を記録する赤外線センサと、部屋に存在する光の量をチェックする光センサと、及び、それらの組み合わせとのうちから、選択される。
【００１７】
前記クライアントデバイスの前記ヘッドピース内に含まれる前記複数のアクチュエータは、前記赤外線センサにより記録される赤外線信号を再生する赤外線ＬＥＤと、前記サーバにより命令されて、前記配電網から前記電源アウトレットへ送信される電気を制御する複数の電子コミュータ（トライアック、リレー・・・）と、前記クライアントデバイスの各々にて音楽及び音声の記録をプレイするラウドスピーカと、並びに、それらの組み合わせとのうちから、選択される。
【００１８】
システムがインターネットに接続することは必要では無い。というのは、システムはインターネットに接続しなくとも稼動もし、システムがインターネットへ接続しなくとも住宅のＷｉ−Ｆｉネットワークへ接続するデバイスを制御するからである。しかしながら、住宅が制御される必要があり、且つ、インターネット接続を伴う前記デバイスが住宅のＷｉ−Ｆｉネットワークへ接続されていない場合、インターネットへ接続するデバイスとサーバとの間の通信を可能にするように、インターネット接続が要求される。
【００１９】
システムは、とりわけ、以下の機能を実施するように構成されている。照明を制御して調整すること。住宅のプラグを制御すること。部屋の温度を制御すること。火災報知器を制御すること。警報器を制御すること。音の発生及び検知を制御すること。ブラインドを制御すること。赤外無線デバイスを制御すること。自動ドアを制御すること。省エネルギを制御すること。ドアベルを制御すること。停電を警告すること。そして、ガレージドアを制御すること。
【図面の簡単な説明】
【００２０】
記載を完了し、本発明の特徴をより良く理解するために、本明細書には記載の不可欠の部分である一連の図面を添付するが、以下は例示の目的のため示されるのであり、発明を限定するものでは無い。
【図１】図１は、住宅内のシステムの設置を示す。
【図２】図２は、サーバを示し、コントロールユニットを表示しており、この場合タッチスクリーンを有する。
【図３】図３は、インターネット接続を伴うデバイス、この場合スマートホンを示し、サーバのアプリケーションと同様ではあるがスマートホンに適用されるアプリケーションを伴う。
【図４ａ】図４ａは、クライアントデバイスの分解図と、配電盤を覆う蓋に搭載されるクライアントデバイスを示す図である。この場合、コネクタストリップは、配電盤内部に配置される。上記クライアントデバイスに含まれる要素が詳細に示される。クライアントデバイスのヘッドピース、及びコネクタストリップである。
【図４ｂ】図４ｂは、クライアントデバイスの分解図と、配電盤を覆う蓋に搭載されるクライアントデバイスを示す図である。この場合、コネクタストリップは、配電盤内部に配置される。上記クライアントデバイスに含まれる要素が詳細に示される。クライアントデバイスのヘッドピース、及びコネクタストリップである。
【図４ｃ】図４ｃは、クライアントデバイスの分解図と、配電盤を覆う蓋に搭載されるクライアントデバイスを示す図である。この場合、コネクタストリップは、配電盤内部に配置される。上記クライアントデバイスに含まれる要素が詳細に示される。クライアントデバイスのヘッドピース、及びコネクタストリップである。
【図５】図５は、クライアントデバイスと、そこに含まれる要素の、様々な図を示す。
【図６】図６は、補助クライアントデバイスと、そこに含まれる要素の、様々な図を示す。
【発明を実施するための形態】
【００２１】
明細書全体を通じて、住宅に設置される自動化制御システム（１）を説明するが、この自動化制御システムは、ホテル、ショップ、ストア、バー等、即ち、配電盤を伴う電気設備を有するどんな建物でも、インストールされ得るので、限定して解釈されるべきでは無い。
【００２２】
本明細書に記載の、住宅のための自動化制御システムは、住宅が配電盤を備えるならば、どんなに古くとも、どんな住宅にもインストールされ得る。
【００２３】
本発明に係る、住宅のための自動化制御システム（１）は、住宅にインストールされる電気及び電子デバイスを該システムが制御するのを可能にする、電子及びコンピュータアプリケーションを備える。上記システム（１）は２つのデバイスを主として含む。
・サーバ（２）：各々の住宅に一つのみ必要とされ、システム（１）の「脳」として作用する。
・各々の部屋が自動化されるための、少なくとも一つクライアントデバイス（３）：該クライアントデバイスは、配置される部屋で生じる変化をサーバに知らせ続けるように管理し、これらの変化に拠って、サーバ（２）は、サーバ（２）それ自身への、若しくはインターネット接続を伴うデバイス（３２）（例えば、ユーザのスマートホン）からの、ユーザが与える命令を介して、クライアントデバイス（３）が実行しなければならない作用をクライアントデバイス（３）に命令する。
【００２４】
更に、システム（１）は少なくとも一つの補助クライアントデバイス（４）を含み、該補助クライアントデバイスは、クライアントデバイス（３）と同様のものであるが、センサを含むものでは無く、該補助クライアントデバイスが含む唯一つのアクチュエータは、電子コミュータである。補助クライアントデバイス（４）は、電気設備の完全な制御を行うために、潜在的な配電盤を全てカバーするのに必要とされる。通常、部屋には一つ若しくは複数の配電盤があり、それらの全ては制御される必要がある。しかしながら、各々の部屋に対して、クライアントデバイス（３）に含まれる個々のタイプのセンサで、補助クライアントデバイスは十分である。従って、補助クライアントデバイス（４）を作成する理由は、財政的性質のものである。というのは、補助クライアントデバイス（４）はクライアントデバイス（３）よりかなり廉価であり、又、より小さい。よって、部屋に補助クライアントデバイス（４）を実装することで、クライアントデバイス（３）が用いられた場合よりも、ずっと低いコストで同じ機能が提供される。
【００２５】
住宅を自動化するためには、住宅の電気設備の配電盤内に様々なクライアントデバイス（３、４）を配置することが必要であるに過ぎない。クライアントデバイス（３、４）を設置するためには、クライアントデバイス（３、４）の対応する場所に配電盤内部の配線が配置されなければならず、クライアントデバイス（３、４）それら自身は、それら配線の接続を如何に作成するか説明する。
【００２６】
接続を正確に作成するためには、ケーブルのタイプ間で区別できることが必要であるに過ぎない。これは非常に簡単である。というのは、これらのケーブルは様々な独特の色と様々なセクションを有するからである。端的には、配線の接続が為される、配電盤の周知のコネクタストリップは、クライアントデバイス（３、４）それら自身により置換されなければならない。
【００２７】
広く知られているように、配電盤の通常の機能は、電気設備の様々なケーブルを接続することを補助することであり、よって上記の配電盤は、ケーブルを処理するのが容易である、アクセス可能な場所に配置される。このことは全て、設置を更に容易化及び簡易化する助けとなる。また更に、システム（１）がインストールされると様々なデバイス（２、３、４）は、再び、処理されなくてもよい、ということを強調することが重要である。様々なデバイス（２、３、４）はメンテナンスを必要としない。というのは、それらは、配電網それ自身により電力供給されるのであり、非常に不便であるバッテリを回避するからである。
【００２８】
デバイスの各々を以下、詳細に記載する。サーバ（２）は、タッチスクリーンを伴う、若しくは伴わない、コントロールユニット（５）を含む。該コントロールユニットは、タッチスクリーンを有する場合、住宅内の部屋の各々を制御するために実行されるべき機能を、ユーザが選択できる、クライアントデバイス（３、４）の全体制御パネルを示す。更に、サーバ（２）は、クライアントデバイス（３、４）から受信する情報をストアする。サーバ（２）は更に、
・クライアントデバイス（３、４）へ、又はクライアントデバイス（３、４）から、情報を送信する、又は受信する、第１のＰＬＣと、
・電力を取るために住宅の電気を変圧するトランスフォーマと、並びに、
・コントロールユニット（５）、第１のＰＬＣ（６）、及びトランスフォーマ（７）を保護してカバーするハウジング（３４）と
を含む。
【００２９】
ＰＬＣ（電力線通信）は、配電網を介してデータを送信し受信するデバイスとして、定義される。
【００３０】
サーバ（２）は、クライアントデバイス（３、４）を制御するために開発される特定のソフトウエアを実行する、ということを明確することが必要である。コントロールユニット（５）は、全てのマイクロプロセッサ及びコントローラを伴う基板を含む。サーバ（２）は、配電網と直接接続し、バッテリを何ら必要としない。
【００３１】
クライアントデバイス（３）は、ヘッドピース（８）と、コネクタストリップ（１０）とを含む。ヘッドピース（８）は、住宅の電気設備の配電盤の外部に配置され、部屋の配電盤の蓋（９）から突出しており、複数のセンサ（１１、１２、１３、１４、１６）と、複数のアクチュエータと、トランスフォーマ（１７）と、サーバ（２）内で用いられるものと同じモジュールである第２のＰＬＣ（２０）と、及び、マイクロコントローラとを含む。上記ヘッドピース（８）は、コネクタストリップ（１０）に接続し、該コネクタストリップ（１０）は、電源インレット（２１）と、スイッチ入力（２２）と、及び電源アウトレット（２３）とを含み、上記コネクタストリップ（１０）は、配電盤の配線に接続する。
【００３２】
クライアントデバイス（３）に含まれるセンサは、部屋に関する情報をサーバ（２）に送信し、サーバ（２）の方は、受信する情報に拠って、クライアントデバイス（３）が自らのセンサ、自らのインレット、自らのアウトレットなどに関して為さねばならないあらゆることを指示する。クライアントデバイス（３）は、サーバ（２）が為すように指示しない限り、いかなるときも自らに依拠して動作できない。
【００３３】
クライアントデバイス（３）のヘッドピース（８）に含まれる複数のセンサは、とりわけ、以下のものを含む。
・住宅内の煙の存在を検知する煙検知器。配電盤が配置される高さは、初期の煙検知のための非常に信頼性の高い位置を提供する。
・部屋に誰かがいるかどうか検知する動作センサ。
・部屋に誰かいるかどうか正確に分かるようにノイズを検知し、例えば、一拍手などのノイズを聴いたとき様々なタスクも実行する、マイクロホン（３３）。
・部屋の空気調節を制御する温度センサ（１６）。
・テレビ、空気調整ユニット、ＤＶＤプレーヤ、及びプロジェクタの、リモートコントロールの信号を記録する、赤外線センサ（１４）。
・部屋に存在する光の量をチェックして、プログラムされていれば自動的に照明を点けることが必要か否かを判別する、光センサ（１２）。
【００３４】
クライアントデバイス（３）のヘッドピース（８）に含まれる複数のアクチュエータは、とりわけ、以下のものを含む。
・赤外線センサ（１４）により記録される赤外線信号を再生する赤外線ＬＥＤ（１５）。これらの赤外線センサ（１５）は、このようにどこでも到達できる広角をカバーするように、構成される。
・配電網から電源アウトレットへの電気を供給する、若しくはカットするための、複数の電子コミュータ（１８）。回路をカットする若しくはクローズすることに加えて、これらのコンポーネントは、これらの動作が生じる周波数を変動させることができ、電球の光度を変更することができる。
・所望のクライアントデバイス（３）の各々にて第２のＰＬＣ（２０）によりサーバ（２）からの音楽を演奏する、ラウドスピーカ（１９）。これは、音声の記録もプレイする。
【００３５】
補助クライアントデバイス（４）は以下のものを含む。
・配電盤の外部に配置される、ヘッドピース（３０）。該ヘッドピース（３０）は、クライアントデバイス（３）と同じ機能を、即ち、サーバ（２）によりオーダされて回路を開閉できるスイッチと同じ機能を、有する複数の電子コミュータと、ヘッドピースが稼動する電流を生成するトランスフォーマ（２５）と、ヘッドピースもサーバ（２）により制御もされることから上記補助クライアントデバイス（４）とサーバ（２）の間の通信を維持するための第３のＰＬＣ（２６）と、及び、マイクロコントローラとを含む。上記ヘッドピース（３０）はコネクタストリップ（３１）に接続する。
・配電盤の配線に接続する、コネクタストリップ（３１）。該コネクタストリップ（３１）は、電源インレット（２７）と、部屋内のスイッチを制御するスイッチ入力（２８）と、及び、電源アウトレット（２９）とを含む。
【００３６】
前述のように、補助クライアントデバイス（４）は、クライアントデバイスと同様のものであるが、センサを含んでおらず、補助クライアントデバイス（４）が含む唯一のアクチュエータは、電子コミュータである。従って、補助クライアントデバイス（４）はセンサを含まないので、補助クライアントデバイス（４）の寸法は、ずっと小さい。
【００３７】
設置は迅速且つ簡易であり、図４ａ、４ｂ、及び４ｃに示されるように、クライアントデバイス（３、４）がインストールされるべき配電盤の蓋（９）に設けられなければならないのは、ホールのみである。ユーザ自身であっても上記の設置を実行することができる。他のタイプの建設作業や事前プロジェクタは要求されず、設置の内部にも外部にも、新しいケーブルを配線することは無く、分解されることが必要なものは無く、配電盤のストリップのケーブルのみが、接続を切られて、続いて、クライアントデバイス（３、４）のコネクタストリップ（１０、３１）に含まれるコネクタ（３７）と接続されることが、必要とされる。
【００３８】
クライアントデバイス（３、４）のコネクタストリップ（１０、３１）は、相互に同一である。上記コネクタストリップ（１０、３１）をそれらの個々のヘッドピース（８、３０）と接続するためには、コネクタストリップ（１０、３１）に含まれるコネクタ（３７）の延長部である複数のピン（３５）を、クライアントデバイス（３、４）のヘッドピース（８、３０）の個々のホール（３６）内に挿入することのみが必要であることが好ましい。
【００３９】
一般電力供給ラインのケーブルは、クライアントデバイス（３、４）と、配電網に接続するデバイスとの、両方に電力供給する、電源インレット（２１、２７）に接続する。スイッチから来るケーブルは、スイッチ入力（２２、２８）に接続する。一方、照明やプラグ（プラグに何が接続するかには関わりない）などの、電気設備の様々な要素の電力供給ケーブルは、電源アウトレット（２３、２９）へ接続する。配電盤のケーブルは、それらの対応する場所で、クライアントデバイス（３、４）のコネクタストリップ（１０、３１）内に配置されるコネクタ（３７）へ接続する。
【００４０】
スイッチ入力（２２、２８）は、部屋内のスイッチの各々を制御するのに用いられる。この場合、照明が手動でオンされたのかオフされたのかを、サーバ（２）はしることになるので、スイッチ入力（２２、２８）はその動作を制御できる。
【００４１】
様々なクライアントデバイス（３、４）とサーバ（２）との間の通信は、搬送電流を用いて電気設備のケーブルを介して生じる（在るデバイスから他のデバイスへ情報を送信するのに、電気を供給する同じケーブルが用いられる。）。この特徴により、電気設備内に何らかのケーブルを這わせねばならないことを回避することができ、設置手順を促進することになる。このことは、様々なクライアントデバイス（３、４）とサーバ（２）との官の良好な通信も保証する。というのは、通信がケーブルを介して生じるにあたり、無線通信に発生することとは逆に、様々なクライアントデバイス（３、４）とサーバ（２）とがどれだけ遠いか、又は、壁がどれだけ厚いか、は、問題とはならないからである。更に、様々な近所の住宅の無線デバイスは取付誤差を生じ得る。しかしながら、個々の住宅の電気設備は、残部から完全に分離されているので、このタイプの通信は、近隣の住宅による干渉を回避する。
【００４２】
観察され得るように、本発明のシステム（１）は、リモートコントロールにより動作する任意の種類のデバイス、任意の種類の電球（ハロゲン、低消費及び普通光電球、様々なベースを伴う電球）、どんな形であってもよい任意のスイッチ、全てのプラグ、デジタルによるものであっても金属サーモスタットによるものであっても全ての種類の暖房、などを制御できる。端的に言うと、住宅を完全自動化するためには、本発明のシステム（１）をインストールすることが必要であるに過ぎず、それを制御するためには住宅に関するデバイスを一つも変更する必要は無い。
【００４３】
更に、本発明のシステム（１）は、サーバ（２）により、若しくは手動で、制御され得るだけではない。ここで「手動」とは、例えば、個々のデバイスが住宅を自動化する前に制御されたやり方を意味する。照明は、それらの対応するスイッチ、リモートコントロールを伴うテレビジョン、などを用いて、更にオンオフされ得る。本発明のシステム（１）は、前述のように、インターネット接続（３２）を伴う任意のデバイス（ユーザの、モバイルホン、タブレット、若しくはコンピュータ）により、リモートで制御され得る。該任意のデバイスは、インターネット、若しくは住宅のＷｉ−Ｆｉネットワークに接続する。インターネット接続を伴うこれらのデバイス（３２）は、インターネット、若しくはＷｉ−Ｆｉネットワークそれ自身を介して、サーバと通信し、命令を様々なクライアントデバイス（３、４）に送信するのは、サーバである。インターネット接続を伴うこれらのデバイス（３２）は、サーバ（２）と同様のアプリケーションを組み入れなければならず、該アプリケーションは、可視化された様々なアイコン上を押下することでアクセスされ、このことにより使用が迅速且つ容易になる。
【００４４】
前に説明したように、全ての判別は、サーバ（２）プログラムにより実行される。住宅を制御できる、インターネット接続を伴うデバイス（３２）（スマートホン、タブレット、コンピュータ、など）は、オペレーティングシステムが何であるかに拘わらずアプリケーションをインストールすることができる。インターネット接続を伴うデバイス（３２）のアプリケーションと、サーバ（２）のアプリケーションとの両方は、非常に直観的なものであり、使い易い。とりわけ、これらのアプリケーションは、所望のように変更することや改良することが可能であり、ユーザの要求する非常に特殊なアプリケーションさえも開発され得る。上記アプリケーションは、インターネットからそれらをダウンロードすることにより、システム（１）に加えることができる。
【００４５】
本発明のシステム（１）及び該システムのプログラムは、自らの光度を調整する照明などの、無数のデバイスを制御することができる。照明の全体を制御することに加えて、照明をアラームクロックと関連させて、アラームクロックが鳴るのと同時に照明をオンさせ、照明がオンする時間、そのプログラミングを制御するようにしてもよい。このように、全てのプラグは制御可能であり、このことは、プラグへ接続するデバイスの各々、及びあらゆるものを、オン及びオフすることができる、ということを意味する。暖房、ランプ、テレビジョンなどは、ユーザにより、それらはいつ接続するかについて、それらはどれだけ長く動作するかについて、及び、多くの他の可能なオプションを判別することができる。更に、任意のデバイスをクライアントデバイス（３、４）に直接接続してもよく、このとき動作するために該デバイスをプラグに接続する必要は無い。即ち、住宅の固定のデバイスは、それらがなお制御可能でありプラグを取らないように、接続され得る。
【００４６】
更に、プロジェクタ、バーの煙草自動販売機、コンピュータなどの、多くの他のデバイスは、リモートコントロールを介して動作する。
【００４７】
電気供給会社の原因であっても、電気設備のセキュリティスイッチの一つが作動したからであっても、住宅の電力供給が中断されると、システム（１）は、メッセージを送信することにより、システム（１）はユーザに停電を警告する。
【００４８】
更に、システム（１）の別の潜在的な機能は、警報器である、というのは、システム（１）は、全てのスイッチ及び停電を制御することに加えて、常時、周囲の音を拾い、動作を検出しているからである。
【００４９】
上述のように、システム（１）の機能は限界が無い。新しいアプリケーション、個別のアプリケーションのための改良、などを、加えることが可能である。
【００５０】
本発明は、本明細書に開示する実施形態によっては限定されない。本明細書の記載を踏まえて、当業者により他の実施形態が作成され得る。結果として、発明の範囲は以下の請求項により定義される。
【符号の説明】
【００５１】
図面に示され、本発明に含まれる、様々な要素のリストを以下に記載する。
１・・・システム、
２・・・サーバ、
３・・・クライアントデバイス、
４・・・補助クライアントデバイス、
５・・・コントロールユニット、
６・・・第１のＰＬＣ（サーバ）、
７・・・サーバのトランスフォーマ、
８・・・クライアントデバイスのヘッドピース、
９・・・配電盤の蓋、
１０・・・クライアントデバイスのコネクタストリップ、
１１・・・動作センサ、
１２・・・光センサ、
１３・・・煙検知器、
１４・・・赤外線センサ、
１５・・・赤外線ＬＥＤ、
１６・・・温度センサ、
１７・・・クライアントデバイスのトランスフォーマ、
１８・・・クライアントデバイスの電子コミュータ、
１９・・・ラウドスピーカ、
２０・・・第２のＰＬＣ（クライアントデバイス）、
２１・・・クライアントデバイスの電源インレット、
２２・・・クライアントデバイスのスイッチ入力、
２３・・・クライアントデバイスの電源アウトレット、
２４・・・補助クライアントデバイスの電子コミュータ、
２５・・・補助クライアントデバイスのトランスフォーマ、
２６・・・第３のＰＬＣ（補助クライアントデバイス）、
２７・・・補助クライアントデバイスの電源インレット、
２８・・・補助クライアントデバイスのスイッチ入力、
２９・・・補助クライアントデバイスの電源アウトレット、
３０・・・補助クライアントデバイスのヘッドピース、
３１・・・補助クライアントデバイスのコネクタストリップ、
３２・・・インターネット接続を伴うデバイス、
３３・・・クライアントデバイスのマイクロホン、
３４・・・サーバハウジング、
３５・・・クライアントデバイス及び補助クライアントデバイスのピン、
３６・・・クライアントデバイス及び補助クライアントデバイスのホール、
３７・・・クライアントデバイス及び補助クライアントデバイスのコネクタ。
【図１】
2018506921.tif 000003
【図２】
2018506921.tif 000004
【図３】
2018506921.tif 000005
【図４ａ】
2018506921.tif 000006
【図４ｂ】
2018506921.tif 000007
【図４ｃ】
2018506921.tif 000008
【図５】
2018506921.tif 000009
【図６】
2018506921.tif 000010
【国際調査報告】
2018506921.tif 000011
2018506921.tif 000012
2018506921.tif 000013
2018506921.tif 000014
2018506921.tif 000015
2018506921.tif 000016